(57)【要約】【課題】画像データを取得してから、取得した画像データを用いて出力を行うまでの時間を短縮させることが可能な画像処理装置を提供する。【解決手段】画像データを取得可能な最大解像度及び最大階調値で取得する画像取得部と、画像取得部が画像データを取得する処理と並列に、画像データの解像度又は階調値を変更させる設定を受け付ける設定受付部と、取得された画像データに対して、設定された処理を施す画像処理部と、を有する。【選択図】図１
2010119059.tif 000002
【特許請求の範囲】
【請求項１】
画像データを取得可能な最大解像度及び最大階調値で取得する画像取得部と、
前記画像取得部が画像データを取得する処理と並列に、前記画像データの解像度又は階調値を変更させる設定を受け付ける設定受付部と、
前記取得された画像データに対して、前記設定された処理を施す画像処理部と、を有することを特徴とする画像処理装置。
【請求項２】
前記画像取得部は、原稿を撮像して画像データを読取るスキャナユニットを有し、前記スキャナユニットは原稿読み取り時に、原稿を最大解像度で読み取ることを特徴とする請求項１に記載の画像処理装置。
【請求項３】
前記スキャナユニットは、複数の原稿を同スキャナユニットに連続して送信する原稿送信部を有することを特徴とする請求項２に記載の画像処理装置。
【請求項４】
前記画像取得部は、取得した画像データを一時的に記憶するための大容量記憶部を有することを特徴とする請求項１〜請求項３のいずれか一項に記載の画像処理装置。
【請求項５】
前記画像処理部は、前記大容量記憶部に記憶される原稿に対応した画像データが所定枚数に達したら、逐次、この画像データに対して画像処理を施すことを特徴とする請求項４に記載の画像処理装置。
【請求項６】
前記画像取得部は、前記設定受付部の設定受け付けが同画像取得部の画像データ取得より前に終了した場合は、以後、設定された処理状態で画像データを取得することを特徴とする請求項１〜請求項５のいずれか一項に記載の画像処理装置。
【請求項７】
画像データを予め設定された解像度及び階調値で取得する画像取得部と、
前記画像取得部が画像データを取得する処理と並列に、前記画像データに対して前記設定された解像度又は階調値を低減する処理の設定を受け付ける設定受付部と、
前記取得された画像データに対して、前記受け付けた設定に対応した処理を施す画像処理部と、を有することを特徴とする画像処理装置。
【発明の詳細な説明】
【技術分野】
【０００１】
本発明は、画像処理装置に関し、特に、画像データに対して所定の処理を施すための設定を行う画像処理装置に関する。
【背景技術】
【０００２】
従来、取得した画像データに対して複数の設定を行う画像処理装置が知られている。このような画像処理装置では、ユーザが操作パネル等を操作することで、画像データに対する設定を選択する。ここで、設定とは、画像データを用いた出力形態の種別や、画像データに対する画像処理の種別等を選択するためのものである。即ち、ＦＡＸ出力やコピー出力等の複数の出力形態を選択することや、画像データの解像度及び階調値を変更する設定を選択することである（例えば、特許文献１参照）。
【特許文献１】特開２００８−２２５６３３号公報
【発明の開示】
【発明が解決しようとする課題】
【０００３】
上記した画像処理装置の場合、装置が多機能化になればそれだけ設定数も増加するため、ユーザが装置に対して設定を選択してから、装置の出力が行われるまで所定の時間を必要とする場合がある。即ち、ユーザが操作パネル等を操作して設定を選択した後、画像データの取り込みを開始するため、画像処理装置が出力を行なうまでに時間が掛かる場合があった。
【０００４】
本発明は、上記課題にかんがみてなされたもので、画像データを取得してから、取得した画像データを用いて出力を行うまでの時間を短縮させることが可能な画像処理装置を提供する。
【課題を解決するための手段】
【０００５】
上記課題を解決するために、本発明では、画像データを取得可能な最大解像度及び最大階調値で取得する画像取得部と、前記画像取得部が画像データを取得する処理と並列に、前記画像データに対して実行される処理を選択するための設定を受け付ける設定受付部と、前記取得された画像データに対して、前記選択された設定に対応した処理を施す画像処理部と、を有する構成としてある。
【０００６】
上記のように構成された発明では、画像取得部は、画像データを最大解像度及び最大階調値で取得し、設定受付部は、画像取得部が画像データを取得する処理と並列に、画像データに対して実行される設定を選択するための操作入力を受け付け、画像処理部は、取得される画像データに対して、選択された設定を行なう。
そのため、画像処理装置では、画像データの取得と、この画像データに対して施される設定を選択するための操作入力の受け付けと、を並列して処理することができるため、各処理を逐次的に行なう場合に比べて、出力処理までに要する時間を短縮することができる。
【０００７】
本発明の一局面として、前記画像取得部は、原稿を撮像して画像データを取得するスキャナユニットである。
スキャナユニットでは、原稿画像を撮像し、この撮像画像を画像データに変換することで画像データを取得するため、画像データを取得するまでの一定の時間を必要とする。上記のように構成された発明では、特に、スキャナユニットを備える画像処理装置において、画像データの取得に並列して設定を受け付けるため、画像データを取得してから出力するまでの時間を短縮することができる。
【０００８】
本発明の一局面として、前記スキャナユニットは、複数の原稿を同スキャナユニットに連続して送信する原稿送信部を有する。
スキャナユニットがＡＤＦ（Auto Document Feeder）のような複数の原稿を一度に取り込む原稿送信部を有する場合、原稿枚数が多くなればそれだけ画像データを取り込むのに要する時間が増加する。そのため、上記のように構成された発明では、ＡＤＦを備える画像処理装置において、画像データを取得してから出力するまでの時間を短縮することができる。
【０００９】
本発明の一局面として、前記画像取得部は、取得した画像データを一時的に記憶するための大容量記憶部を有する。
上記のように構成された発明では、画像取得部が取得したデータ量が大きくても、この大容量記憶装置に記憶させることができる。
【００１０】
本発明の一局面として、前記画像処理部は、前記大容量記憶部に記憶される原稿に対応した画像データが所定枚数に達したら、逐次、この画像データに対して画像処理を施す。  上記のように構成された発明では、画像処理部は、所定枚数の原稿に対応した画像データが大容量記憶部に記憶されると、この画像データに対して画像処理を施すため、原稿の読み取りと画像処理とを並列して実行することができ、出力に掛かる時間を短縮させることができる。
【００１１】
本発明の一局面として、前記画像取得部は、前記設定受付部の設定の受け付けが同画像取得部の画像データの取得より前に終了した場合は、以後、選択された設定に対応させて画像データを取得する。
上記のように構成された発明では、設定の受け付けが、画像データの取得より前に終了した場合は、画像取得部が画像データを取得する際の設定を変更することで、以後の処理を効率的に実行することができる。
【００１２】
本発明の他の局面として、画像データを予め設定された解像度及び階調値で取得する画像取得部と、前記画像取得部が画像データを取得する処理と並列に、前記画像データに対して前記設定された解像度又は階調値を低減する処理の設定を受け付ける設定受付部と、前記取得された画像データに対して、前記受け付けた設定に対応した処理を施す画像処理部と、を有する構成としてある。
【発明を実施するための最良の形態】
【００１３】
以下、図を参照しつつ、下記の順序に従って本発明の実施形態を説明する。
１．第１の実施形態：
２．第２の実施形態：
３．第３の実施形態：
【００１４】
１．第１の実施形態：
図１は、本発明の一実施形態としての画像処理装置のブロック構成図である。この図では、画像処理装置として、複合機１００を例に説明を行う。複合機１００は、画像データを取得するためのスキャナユニット８０と、スキャナユニット８０が取得した画像データを用いて出力を行う出力ユニット９０とを備えている。出力ユニット９０としては、記録媒体に対して印刷処理を行なうプリンタユニット９１と、電話回線を通じて画像データを送信するためのＦＡＸ送信ユニット９２と、ネットワークを通じて画像データを送信するためのネットワークＩ／Ｆ９３とを備えており、ユーザが操作パネルユニット３０を操作して画像データの出力形態を選択することで、選択された出力形態に対応した各出力ユニット９０による出力処理が実行される。
【００１５】
また、操作パネルユニット３０と、スキャナユニット８０及び出力ユニット９０の間には、主たる制御を行うシステム制御部４０と、スキャナユニット８０が取得した画像データを記憶する大容量記憶装置（大容量記憶部）６０と、大容量記憶装置６０に対するアクセスを制御するメモリコントローラ７０と、画像データに対して所定の処理を施す画像処理回路（画像処理部）５０とが介在している。そのため、操作パネルユニット３０を操作して出力された操作入力は、システム制御部４０に受信され、システム制御部４０がスキャナユニット８０及び各出力ユニット９０の駆動を制御する。
【００１６】
更に、本複合機１００では、設定を選択するための信号の受け付けと、スキャナユニット８０による画像データの取得とが並列して実行される。そのため、複合機１００は、出力処理までに要する時間を短縮することができる。以下に、本実施形態に係る各部の構成をより詳細に説明していく。
【００１７】
操作パネルユニット３０は、スキャナユニット８０がスキャンした画像データに対する設定を選択するためのものである。操作パネルユニット３０は、複数の操作ボタンや表示画面を備えており、この操作ボタンには、複合機１００に対して原稿のスキャンを開始させるスタートボタンや、各出力形態を選択するための出力選択ボタンや、画像データに対して各種設定を行なうための設定ボタンと、を備えている。即ち、ユーザがスタートボタンを操作することで、システム制御部４０はスキャナユニット８０に原稿をスキャンさせる制御を実行する。また、ユーザが出力選択ボタンを操作することで、システム制御部４０はスキャンされた画像データを各出力ユニット９０を介して出力させる制御を実行する。そして、ユーザが設定ボタンを操作することで、システム制御部４０は、選択された設定に対応した処理を画像データに対して施す制御を実行する。
【００１８】
スキャナユニット８０は、原稿をディジタル化して画像データに変換するためのものである。本実施形態に係るスキャナユニット８０はフラットベットタイプである。また、スキャナユニット８０の要部は、スキャン対象の原稿を連続して原稿台に送るためのＡＤＦ（Auto Document Feeder）（原稿送信部）８１と、ＡＤＦ８１から送られた原稿を撮像するＣＣＤ（Charge Coupled Device）８２と、ＣＣＤの駆動を制御するとともに、撮像された撮像画像をディジタル変換するＡＦＥ（アナログフロントエンドプロセッサ）８３と、で構成されている。
【００１９】
また、ＣＣＤ８２は、主走査方向の撮像タイミングを変化させることで、撮像画像の解像度を変更することが可能である。そのため、操作パネルユニット３０を通じて選択された撮像度に応じて、ＡＦＥ８３はＣＣＤ８２が撮像する撮像画像の最大解像度及び最大階調値を変更することができる。
更に、ＡＤＦ８１は、原稿台にセットされた所定枚数の原稿画像を連続してスキャナユニット８０に送信することができる。
【００２０】
メモリコントローラ７０は、大容量記憶装置６０に対するアクセスを制御するためのものである。メモリコントローラ７０は、スキャナユニット８０がスキャンして生成した画像データを大容量記憶装置６０の所定のアドレスに記憶させる処理や、大容量記憶装置６０に記憶された画像データを画像処理回路５０に出力する処理を実行する。また、メモリコントローラ７０は、スキャナユニット８０から画像データが出力される際、システム制御部４０の制御とは独立して、画像データを大容量記憶装置６０に記憶させることができる。
【００２１】
大容量記憶装置６０は、スキャナユニット８０が生成した画像データを記憶するためのものである。大容量記憶装置６０は、ＨＤＤ（Hard Disk Drive）や、フラッシュメモリにより構成される。また、好ましくは、大容量記憶装置６０は、スキャナユニット８０のＡＤＦ８１が連続して取り込むことができる原稿枚数に対応した画像データのデータ量を記憶できることが望ましい。即ち、原稿画像１枚当たりのデータ量を１００Ｍとし、ＡＤＦ８１が連続して取り込むことができる原稿の数を１００枚とすれば、少なくとも、大容量記憶装置６０の記憶容量は、１０Ｇ（１００Ｍ×１００）程度を必要とする。
【００２２】
画像処理回路５０は、取得された画像データに対して所定の画像処理を施すためのものである。画像処理回路５０は、画像データに対して、解像度を変換する処理や、カラー画像からモノクロ画像への変換処理や、拡大及び縮小処理や、画質を調整するための編集処理、を実行する。より具体的には、画像処理回路５０は、最大解像度で生成された画像データに対して間引き処理を行い、画像データを低解像度化する。また、画像処理回路５０は、ＲＧＢの三色で形成された画像データに対して、グレースケール化を行い、モノクロ画像に変換する。そして、画像処理回路５０は、画像データに対して拡大及び縮小化を施すために、画素数変換処理を行なう。そして、画像処理回路５０は、画像データに対して編集処理として、色変換処理や先鋭化処理等を施す。
【００２３】
システム制御部４０は、操作パネルユニット３０を通じて選択された設定に応じて、スキャナユニット８０、メモリコントローラ７０及び出力ユニット９０の各部の駆動を制御する。システム制御部４０の要部は、ＣＰＵ４１と、ＲＯＭ４２と、ＲＡＭ４３により構成されている。また、ＲＯＭ４２には、ＣＰＵ４１に所定の処理を実行させるための各種プログラムが記憶されている。そのため、ＣＰＵ４１は、所定のオペレーションシステムのもと上記プログラムを実行することで、読取制御モジュール４１ａ、設定制御モジュール４１ｂ、出力制御モジュール４１ｃの各機能を実現する。
【００２４】
読取制御モジュール４１ａは、操作パネルユニット３０を通じて選択された設定に基づいて、スキャナユニット８０及びメモリコントローラ７０を制御して、画像データのスキャンを制御するためのものである。ここで、読取制御モジュール４１ａと、大容量記憶装置６０と、メモリコントローラ７０と、スキャナユニット８０により画像取得部の機能を実現する。
【００２５】
設定制御モジュール４１ｂは、操作パネルユニット３０を通じて選択された設定に基づいて、画像処理回路５０が実行する画像処理を制御するためのものである。ここで、設定制御モジュール４１ｂと、操作パネルユニット３０により、設定受付部の機能を実現する。
【００２６】
出力制御モジュール４１ｃは、操作パネルユニット３０を介して選択された設定に基づいて、プリンタユニット９１、ＦＡＸ送信ユニット９２、ネットワークＩ／Ｆ９３の各出力ユニット９０を制御するためのものである。
【００２７】
図２は、複合機１００が実行する出力処理を説明する流れ図である。複合機１００は、図２に示す流れに従って、画像データを取得し、取得した画像データを用いて出力処理を行なう。また、図２では、システム制御部４０と、スキャナユニット８０と、メモリコントローラ７０の各部の処理を独立して表示している。
【００２８】
ユーザが複数の原稿をスキャナユニット８０のＡＤＦ８１にセットし、操作パネルユニット３０のスタートボタンを押下げると（ステップＳ１１０）、読取制御モジュール４１ａは、スキャナユニット８０に対して原稿の取り込みを開始させる（ステップＳ１２０）。
【００２９】
スキャナユニット８０では、ＡＤＦ８１がセットされた原稿を連続して取り込み、ＡＦＥ８３がＣＣＤ８２を制御しつつスキャンを開始し、画像データを生成していく（ステップＳ２１０）。このとき、スキャナユニット８０で生成される画像データは、スキャナユニット８０が読取ることができる最大解像度である６００ｄｐｉ及び最大階調値であるＲＧＢ各８ｂｉｔで構成される。
【００３０】
読取制御モジュール４１ａは、生成された画像データを大容量記憶装置６０に記憶させる（ステップＳ１３０）。具体的には、読取制御モジュール４１ａは、メモリコントローラ７０に対して、スキャナユニット８０から出力される画像データを大容量記憶装置６０の所定の記憶領域に記憶させる命令を出力する。
【００３１】
ステップＳ２１０〜ステップＳ２３０において、スキャナユニット８０が原稿をスキャンしている間に、ユーザが操作パネルユニット３０を操作して画像データに施す設定を選択すると、設定制御モジュール４１ｂは選択された設定を受け付ける（ステップＳ１４０）。このとき、設定制御モジュール４１ｂはユーザが設定を完了したこと表すボタンを押し下げるまでは、設定の完了を了承しない（ステップＳ１５０）。
【００３２】
設定制御モジュール４１ｂは、スキャナユニット８０が全ての原稿の読み取りを完了させたか否かに応じて、スキャナユニット８０が実行するスキャンの設定を変化させる（ステップＳ１６０）。図２に示す流れ図では、システム制御部４０がユーザからの設定の受け付けを完了するタイミングが、スキャナユニット８０がスキャンを終了させる前であるため、以下、この場合を想定して説明を行う。このとき、ユーザが操作パネルユニット３０を操作して、プリンタユニット９１に画像データを低解像度（４００ｄｐｉ）、階調値をＲＧＢ各８ｂｉｔ、のモノクロ画像として出力させる場合を想定している。
【００３３】
図３は、図２のステップＳ１６０で実行される処理を説明する流れ図である。設定制御モジュール４１ｂは、操作パネルユニット３０を通じて選択された設定を判断する（ステップＳ１６１）。上記のように、ユーザは画像データを低解像のモノクロ画像として出力するよう設定するため、設定制御モジュール４１ｂはこの設定を入力された信号から判断する。
【００３４】
設定制御モジュール４１ｂは、スキャナユニット８０が原稿画像を全て読み込んだか否かを判断する（ステップＳ１６２）。具体的には、スキャナユニット８０が原稿を全てスキャンした場合、スキャナユニット８０からはスキャン完了を表す割り込み信号がＣＰＵ４１に出力され（ステップＳ２４０）、ＣＰＵ４１のレジスタに記憶される。そのため、設定制御モジュール４１ｂは、レジスタに記憶される値を参照してスキャン終了の有無を判断する。その後、スキャナユニット８０は、読み込んだ原稿に対応する画像データをメモリコントローラ７０に出力し（ステップＳ２５０）、メモリコントローラ７０はこの画像データを大容量記憶装置６０に記憶する（ステップＳ３００）。
【００３５】
設定制御モジュール４１ｂは、ステップＳ１６２でスキャナユニット８０が原稿を全てスキャンしていないと判断した場合は、スキャナユニット８０に対して以後の原稿のスキャンをステップＳ１４０で設定された値により読取るよう命令する（ステップＳ１６３）。ここで、ステップＳ１６１で判断した設定の内、スキャナユニット８０の読み取りに関係があるのは、低解像度化（４００ｄｐｉ）であるため、スキャナユニット８０はスキャン設定を解像度が６００ｄｐｉから４００ｄｐｉに変化させて以後のスキャンを実行する（ステップＳ２２０）。一方、設定制御モジュール４１ｂは、ステップＳ１６２でスキャナユニット８０がスキャンを終了したと判断した場合は、スキャナユニット８０に対して読み取り設定を変更させない。この場合、画像データの低解像度化は、画像処理回路５０により実行される。
【００３６】
設定制御モジュール４１ｂは、ステップＳ１５０により選択された設定に対応させて画像処理回路５０に対して画像データを解像度：４００ｄｐｉ、階調値：ＲＧＢ各８ｂｉｔ、モノクロ画像に変換するよう各部を制御する（ステップＳ１７０）。具体的には、メモリコントローラ７０が大容量記憶装置６０に記憶された画像データを画像処理回路５０に出力する（ステップＳ３１０）と、画像処理回路５０は入力された画像データを白黒の２色となるようグレースケール化する。無論、ステップＳ１６０で、設定制御モジュール４１ｂがスキャナユニット８０の読み取り設定を解像度６００ｄｐｉから４００ｄｐｉに変更している場合は、解像度の設定変更は実行されない。画像処理回路５０により変換された画像データは、プリンタユニット９１に出力される。
【００３７】
その後、出力制御モジュール４１ｃは、プリンタユニット９１を制御して、グレースケール化された画像データを用紙等の媒体を用いて印刷処理させる。そのため、プリンタユニット９１からは、解像度：４００ｄｐｉ、階調値：ＲＧＢ各８ｂｉｔ、モノクロ化された画像が用紙に印刷されて出力される。以上、第１の実施形態を説明した。
【００３８】
２．第２の実施形態：
複合機１００は、所定枚数の原稿に対応した画像データが大容量記憶装置６０に記憶される毎に、この画像データに対して画像処理を実行するものであってもよい。即ち、ＡＤＦ８１が連続して１００枚の原稿を読取る場合に、５０枚の原稿がスキャンされたら、原稿に対応する画像データに対して画像処理を実行していくものであってもよい。
ここで、所定枚数の原稿に対応した画像データ毎に画像処理を実行する構成とすれば、大容量記憶装置６０には全ての画像データが記憶されないため、大容量記憶装置６０の記憶容量を低減させることができる。また、スキャナユニット８０におけるスキャンと、出力処理とを更に並列に実行させることが可能となるため、複合機１００が出力を完了させるまでの時間をさらに短縮することができる。
【００３９】
図４は、第２の実施形態として図２のステップＳ１６０で実行される処理を説明する流れ図である。設定制御モジュール４１ｂは、操作パネルユニット３０を通じて選択された設定を判断する（ステップＳ２６１）。この場面でも、第１の実施形態と同様、ユーザは画像データを低解像（４００ｄｐｉ）のモノクロ画像として出力するよう設定するものとする。
【００４０】
設定制御モジュール４１ｂは、スキャナユニット８０が５０枚の原稿をスキャンしたか否かを判断する（ステップＳ２６２）。具体的には、スキャナユニット８０が原稿を所定枚数（５０枚）及び全枚数（１００毎）スキャンした場合、スキャナユニット８０からはスキャン完了を表す割り込み信号がＣＰＵ４１に出力され、ＣＰＵ４１のレジスタに記憶される。そのため、設定制御モジュール４１ｂは、レジスタに記憶される値を参照してスキャン終了の有無を判断する。
【００４１】
設定制御モジュール４１ｂは、スキャナユニット８０が５０枚の原稿をスキャンしたと判断した場合は、大容量記憶装置６０に記憶された画像データに対して設定された画像処理を実行させる（ステップＳ２６３）。具体的には、メモリコントローラ７０は、大容量記憶装置６０に記憶された５０枚の原稿画像に対応する画像データを順次読み出し、読み出した画像データを画像処理回路５０に出力する。そのため、画像処理回路５０は、順次入力される画像データに対して画像処理を実行していく。
【００４２】
設定制御モジュール４１ｂは、スキャナユニット８０が原稿画像を全てスキャンしたか否かを判断する（ステップＳ２６４）。このとき、全ての原稿がスキャンされていなければ、設定制御モジュール４１ｂは、スキャナユニット８０に対して以後の原稿の読み取りを設定された値によりスキャンするよう命令する（ステップＳ２６５）。
【００４３】
以後、第１の実施形態と同様に、画像処理回路５０は順次入力される画像データに対して画像処理を施す。また、出力制御モジュール４１ｃは、画像処理が施された画像データを出力ユニット９０に出力させ、設定に対応した出力を実行させる。
【００４４】
３．第３の実施形態：
スキャナユニット８０が原稿を読み取る解像度及び階調値は、スキャナユニット８０が設定することが可能な最大解像度及び最大階調値に限定されない。つまり、スキャナユニット８０が操作パネルユニット３０を通じて、画像読み取り時の解像度及び階調値を変化させることができる構成であれば、ユーザが予めスキャナユニット８０の読み取り解像度及び階調値をデフォルトとして設定する場合も想定される。このような場合に、システム制御部４０は画像処理回路５０に対して取得された画像データにデフォルトの解像度及び階調値を低減する処理を施すものであってもよい。
【００４５】
即ち、スキャナユニット８０の読み取り性能が、最大解像度を６００ｄｐｉ、最大階調値をＲＧＢ各８ｂｉｔである場合、デフォルトの設定として、解像度を４００ｄｐｉ、階調値をＲＧＢ各４ｂｉｔに設定された場合を想定する。この場合、以後、システム制御部４０は、画像処理回路５０に対して、画像データを４００ｄｐｉ以下の解像度、及びＲＧＢ各４ｂｉｔ以下の階調値に変更させる処理を実行させる。
【００４６】
以上、説明したように、複合機１００では、スキャナユニット８０の画像データのスキャンと、取得された画像データに対して施される設定の選択の受け付けとを並列して処理することができるため、各処理を逐次的に行なう場合に比べて、出力処理までに要する時間を短縮することができる。
【００４７】
なお、本発明は上記実施例に限られるものでないことは言うまでもない。つまり、上記実施例の中で開示した相互に置換可能な部材および構成等を適宜その組み合わせを変更して適用すること、上記実施例の中で開示されていないが、公知技術であって上記実施例の中で開示した部材および構成等と相互に置換可能な部材および構成等を適宜置換し、またその組み合わせを変更して適用すること、上記実施例の中で開示されていないが、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【図面の簡単な説明】
【００４８】
【図１】本発明の一実施形態としての画像処理装置のブロック構成図である。
【図２】複合機１００が実行する出力処理を説明する流れ図である。
【図３】図２のステップＳ１６０で実行される処理を説明する流れ図である。
【図４】第２の実施形態として図２のステップＳ１６０で実行される処理を説明する流れ図である。
【符号の説明】
【００４９】
３０…操作パネルユニット、４０…システム制御部、４１…ＣＰＵ、４１ａ…読取制御モジュール、４１ｂ…設定制御モジュール、４１ｃ…出力制御モジュール、４２…ＲＯＭ、４３…ＲＡＭ、５０…画像処理回路、６０…大容量記憶装置、７０…メモリコントローラ、８０…スキャナユニット、８２…ＣＣＤ、８３…ＡＦＥ、９０…出力ユニット、９１…プリンタユニット、９２…ＦＡＸ送信ユニット、９３…ネットワークＩ／Ｆ、１００…複合機
【図１】
2010119059.tif 000003
【図２】
2010119059.tif 000004
【図３】
2010119059.tif 000005
【図４】
2010119059.tif 000006